(57)【特許請求の範囲】
【請求項１】
弾球遊技機（Ｓ１）における遊技盤で、スタートチャッカーユニットとアタッカーユニットを含む遊技部品（Ｇ１〜Ｇ４）が取り付けられた遊技盤（Ｐ１）の裏面側に、該遊技盤に装着された遊技部品（Ｇ１〜Ｇ４）を覆う裏カバー（Ａ１）を設けた弾球遊技機（Ｓ１）において、
前記裏カバー（Ａ１）が、遊技盤（Ｐ１）に固着されたベース部材（１）と、第１カバー部材（２０）と、角脚部（３０、４０）とを有し、
ベース部材（１）が、
弾球遊技機の裏面側を背面側とした場合に、背面視において上方が開口した略コ字状を呈し、略コ字状を呈することにより略コ字状の内側に切欠き部（１３）を有するベース部材背面部（２ａ）と、ベース部材背面部（２ａ）の下端から正面側に向けて連設されたベース部材底面部（２ｂ）と、ベース部材底面部（２ｂ）の両側の端部から上方に連設されるとともにベース部材背面部（２ａ）の左右両端から正面側に向けて連設され、第１カバー部材（２０）に設けられたプラグ（Ｒ２２）を挟入して掛止するソケットで、上向きに開口した、該プラグを掛止するための空間を有するソケット（Ｒ２４）が形成されたベース部材側面部（２ｃ）とを有し、背面視において上方が開口した略コ字状を呈する本体部材（２）と、
本体部材（２）に対して左右方向の擺動中心を介して擺動可能に軸支され、ベース部材背面部（２ａ）の切欠き部（１３）を開閉する第２カバー部材で、該遊技盤に取り付けられた該遊技部品の一部を背面側からカバーする第２カバー部材（１０）と、を有し、
第１カバー部材（２０）が、
第１カバー部材（２０）の上面を形成する上面部（２０ａ）と、上面部（２０ａ）の両側から下方に向けて連設された側面部（２０ｂ）とを有し、弾球遊技機の裏面側を背面側とした場合に、背面視において上面部（２０ａ）と側面部（２０ｂ）とで下方が開口した略コ字状を呈するとともに、側面部（２０ｂ）の下端から下向きに突設された突片であるプラグ（Ｒ２２）を有するとともに、側面部（２０ｂ）の上端位置に角脚部（３０、４０）に設けられたロック爪（Ｒ１２）が係止する爪受け（Ｒ１４）を有し、側面部（２０ｂ）の下端が本体部材（２）のベース部材側面部（２ｃ）の上端に左右方向の擺動中心を介して軸支されることにより本体部材（２）に対して擺動可能となって、遊技盤に対して閉じた場合に、第２カバー部材（１０）にはカバーされない該遊技部品をカバーし、
角脚部（３０、４０）が、
第１カバー部材（２０）を遊技盤に対して閉じた場合に第１カバー部材（２０）の上端の両側の角部に対応した位置に間隔を介して遊技盤（Ｐ１）に固着され、背面側に向けて突出したロック爪（Ｒ１２）を有することを特徴とする弾球遊技機。
【発明の詳細な説明】
【０００１】
【発明の属する技術分野】
本発明は、弾球遊技機に関するものであり、特に、遊技盤の裏面の電子部品類を被覆する弾球遊技機に関するものである。
【０００２】
【従来の技術】
従来、いわゆるパチンコ機、或いはアレンジボール機、雀球機等の遊技盤を有している弾球遊技機において、遊技盤に装着された電子基板、部品類や配線などの周囲を覆って、遊技機本体側の部品との干渉を防止したり、埃や遊技球等が入り込まないようにすべく、上下左右に連続して壁体が形成されている裏カバーが使用されている。
【０００３】
また、近年、図柄表示装置の画質の高度化や遊技機能の複雑化等に伴って、弾球遊技機に装着される電子基板や部品類、コネクタ、配線等が顕著に増加しており、前記裏カバーにそれらの装着部品を積重して装着したり、配線の中継点としてコネクタ端子を配設する等、装着部品の装着ベースとしての機能も高まっており、裏カバーの役割の重要性が高まっている。
【０００４】
【発明が解決しようとする課題】
しかし、従前の裏カバーにあっては、前記遊技盤に単純に固定されているのみである。そのため、裏カバーの内部側の電子部品の点検や交換、ハーネスの脱着などのメンテナンスを行う場合は、遊技盤と裏カバーとの締結を全て解除して固定された裏カバーを遊技盤から取り外した後に行なうなどの方法をとっていた。特に、遊技盤と裏カバーとの締結部分も多く、また電子基板や部品類、コネクタ、配線などが複雑に絡み合っているため、非常に手間がかかるものであった。
【０００５】
そこで、本実施例は、遊技盤から裏カバーを取り外すことなく、裏カバーの内部側の電子部品の点検や交換、ハーネスの脱着などのメンテナンスを容易に行うことができる弾球遊技機を提供することを目的とする。
【０００６】
【課題を解決するための手段】
本発明は上記問題点を解決するために創作されたものであって、弾球遊技機（Ｓ１）における遊技盤で、スタートチャッカーユニットとアタッカーユニットを含む遊技部品（Ｇ１〜Ｇ４）が取り付けられた遊技盤（Ｐ１）の裏面側に、該遊技盤に装着された遊技部品（Ｇ１〜Ｇ４）を覆う裏カバー（Ａ１）を設けた弾球遊技機（Ｓ１）において、前記裏カバー（Ａ１）が、遊技盤（Ｐ１）に固着されたベース部材（１）と、第１カバー部材（２０）と、角脚部（３０、４０）とを有し、ベース部材（１）が、弾球遊技機の裏面側を背面側とした場合に、背面視において上方が開口した略コ字状を呈し、略コ字状を呈することにより略コ字状の内側に切欠き部（１３）を有するベース部材背面部（２ａ）と、ベース部材背面部（２ａ）の下端から正面側に向けて連設されたベース部材底面部（２ｂ）と、ベース部材底面部（２ｂ）の両側の端部から上方に連設されるとともにベース部材背面部（２ａ）の左右両端から正面側に向けて連設され、第１カバー部材（２０）に設けられたプラグ（Ｒ２２）を挟入して掛止するソケットで、上向きに開口した、該プラグを掛止するための空間を有するソケット（Ｒ２４）が形成されたベース部材側面部（２ｃ）とを有し、背面視において上方が開口した略コ字状を呈する本体部材（２）と、本体部材（２）に対して左右方向の擺動中心を介して擺動可能に軸支され、ベース部材背面部（２ａ）の切欠き部（１３）を開閉する第２カバー部材で、該遊技盤に取り付けられた該遊技部品の一部を背面側からカバーする第２カバー部材（１０）と、を有し、第１カバー部材（２０）が、第１カバー部材（２０）の上面を形成する上面部（２０ａ）と、上面部（２０ａ）の両側から下方に向けて連設された側面部（２０ｂ）とを有し、弾球遊技機の裏面側を背面側とした場合に、背面視において上面部（２０ａ）と側面部（２０ｂ）とで下方が開口した略コ字状を呈するとともに、側面部（２０ｂ）の下端から下向きに突設された突片であるプラグ（Ｒ２２）を有するとともに、側面部（２０ｂ）の上端位置に角脚部（３０、４０）に設けられたロック爪（Ｒ１２）が係止する爪受け（Ｒ１４）を有し、側面部（２０ｂ）の下端が本体部材（２）のベース部材側面部（２ｃ）の上端に左右方向の擺動中心を介して軸支されることにより本体部材（２）に対して擺動可能となって、遊技盤に対して閉じた場合に、第２カバー部材（１０）にはカバーされない該遊技部品をカバーし、角脚部（３０、４０）が、第１カバー部材（２０）を遊技盤に対して閉じた場合に第１カバー部材（２０）の上端の両側の角部に対応した位置に間隔を介して遊技盤（Ｐ１）に固着され、背面側に向けて突出したロック爪（Ｒ１２）を有することを特徴とする。
【０００７】
上記構成の弾球遊技機においては、前記裏カバーが、遊技盤に着脱可能なベース部材（１）と、前記ベース部材に取付けられる第１カバー部材（２０）とを別個に備え、第１カバー部材（２０）をベース部材（１）に対して擺動可能とすることにより、前記遊技盤（Ｐ１）から裏カバー全体を取り外すことなく、裏カバーの内部側にある電子部品の点検や交換、ハーネスの脱着などのメンテナンスを容易に行うことが可能となる。
また、角脚部（３０、４０）が設けられているので、第１カバー部材（２０）と角脚部（３０、４０）とを係合させることにより、第１カバー部材（２０）の閉状態を維持させることができる。また、第１カバー部材（２０）を開状態にするには、遊技盤（Ｐ１）に設けられた前記角脚部との係合を解除すればよい。よって、第１カバー部材（２０）の閉状態を維持させる場合に、第１カバー部材（２０）を遊技盤（Ｐ１）へ締結等する必要がなく、また、第１カバー部材（２０）の係合及び係合解除作業をワンタッチで行うことが可能になる。また、第１カバー部材（２０）をベース部材（１）に対して擺動させるだけで、第１カバー部材（２０）を開閉させることができ、第１カバー部材（２０）がカバーしていた部分を露出させることができるので、よって、メンテナンス作業の簡略化を図ることが可能になる。
また、、第２カバー部材（１０）を本体部材（２）に対して開状態とすることにより、本体部材（１）の切欠き部（１３）を開状態とでき、従って、前記遊技盤から裏カバー（Ａ１）全体やベース部材（１）を取り外すことなく、裏カバー（Ａ１）の内部側にある電子部品の点検や交換、ハーネスの脱着などのメンテナンスを容易に行うことが可能となる。また、第２カバー部材（１０）は、本体部材（２）に対して擺動状に開閉するので、第２カバー部材（１０）の開閉動作が容易である。
【００１５】
なお、以下の構成としてもよい。例えば、上記ベース部材（１）又は上記第１カバー部材（２０）又は第２カバー部材（１０）には、基板ケースが取付け可能となっているようにしてもよい。そして、この取付け可能な基板ケースとしては、遊技者に有利な遊技状態を発生させるか否かを抽選する抽選手段を設けた主基板を収納する主基板ケース（Ｑ１）、複数の出力端子をコネクタ等によって接続可能になされた外部出力端子基板を収納する外部出力端子基板ケース（Ｑ２）、遊技図柄の変動表示を制御する図柄制御手段を設けた図柄制御基板を収納する図柄制御基板ケース、遊技媒体払出し装置を制御する払出制御手段を設けた払出制御基板を収納する払出制御基板ケース、演出音の発生を制御するサウンド制御手段を設けたサウンド制御基板を収納するサウンド制御基板ケース（Ｑ３）、演出光の点灯動作を制御するランプ制御手段を設けたランプ制御基板を収納するランプ制御基板ケース（Ｑ４）のうち何れかとすることができる。
【００１６】
また、上記裏カバー及び／又は係合部材（３０、４０）は、透明性を有した樹脂により構成されており、内部が視認可能であってもよい。さらに、裏カバー内部を視認可能とする構造としては、スリット、小さい孔等を裏カバーに設けるようにしてもよい。これにより、裏カバーの外部から裏カバー内部の電子部品の簡単な点検が可能になる等の利点がある。
【００１７】
また、上記第１カバー部材（２０）と、上記係合部材（３０、４０）とは、該第１カバー部材（２０）及び／又は係合部材（３０、４０）に設けられた爪部材により係合可能であってもよい。これにより、可撓性をもった爪部材で係合されていれば、メンテナンス時の効率向上が図れる等の利点がある。
【００１８】
また、本体部材（２）と第２カバー部材（１０）とを固定する固定手段が、本体部（２）と第２カバー部材（１０）とを係合させることにより固定する係合手段であってもよい。これにより、可撓性をもった爪部材で係合されていれば、メンテナンス時の効率向上が図れる等の利点がある。
【００１９】
また、本体部材（２）と第２カバー部材（１０）とを係合する係合手段が、該本体部材（２）及び／又は第２カバー部材（１０）に設けられた爪部材であってもよい。これにより、可撓性をもった爪部材で係合されていれば、メンテナンス時の効率向上が図れる等の利点がある。
【００２０】
また、上記第１カバー部材（２０）と、上記係合部材（３０、４０）とは、ネジ等の締結手段により締結されていてもよい。これにより、確実に締結をすることができ、点検内容によっては簡単に解除できる等の利点がある。また、本体部材（２）と第２カバー部材（１０）とを固定する固定手段が、ネジ等の締結手段であってもよい。これにより、確実に締結をすることができ、点検内容によっては簡単に解除できる等の利点がある。
【００２１】
また、上記第１カバー部材（２０）が、上記ベース部材（１）に対して、スライドして開閉するようにしてもよい。これにより、後ろ側に場所的な余裕がない場合等にもメンテナンスに必要な場所を確保することが可能となる等の利点がある。また、上記第２カバー部材（１０）が、上記本体部材（２）に対して、スライドして開閉するようにしてもよい。これにより、後ろ側に場所的な余裕がない場合等にもメンテナンスに必要な場所を確保することが可能となる等の利点がある。
【００２２】
また、上記裏カバー部材及び／又は係合部材（３０、４０）は、導電性を有した樹脂により構成されているようにしてもよい。これにより、静電気の帯電が防止される等メンテナンス者を保護することが可能となり、また、電子部品を保護できる等の利点がある。
【００２３】
また、第２カバー部材（１０）自体が、基板ケースであってもよい。これにより、基板ケースと一緒に配線を取り外すことができ、また、基板ケースを取り外すだけで本体部材の開口部又は切欠き部を開状態にできる等メンテナンス性の向上を図ることができる等の利点がある。
【００２４】
また、上記ベース部材（１）が、基台部と本体部とを有し、該本体部が基台部に対して、擺動状又はスライドして開閉するようにしてもよい。これにより、後ろ側に場所的な余裕がない場合等にもメンテナンスに必要な場所を確保することが可能となる等の利点がある。
【００２５】
また、上記弾球遊技機において、上記ベース部材（１）は、遊技盤（Ｐ１）にネジ等の締結手段により締結されているようにしてもよい。これにより、確実に締結をすることができ、点検内容によっては簡単に解除できる等の利点がある。
【００２６】
また、上記弾球遊技機において、上記係合部材（３０、４０）は、遊技盤（Ｐ１）にネジ等の締結手段により締結されているようにしてもよい。これにより、確実に締結をすることができ、点検内容によっては簡単に解除できる等の利点がある。
【００２７】
また、上記係合手段（３０、４０）を遊技盤（Ｐ１）に一体的に設けてもよい。これにより組立てコストの低減等を図ることができる。
【００２８】
また、遊技盤（Ｐ１）に設けた係合用凹部及び／又は係合用凸部により係合手段（３０、４０）を構成してもよい。これにより組立てコストの低減等を図ることができる。
【００２９】
また、ベース部材（１）を遊技盤（Ｐ１）に一体的に設けてもよい。これにより組立てコストの低減等を図ることができる。
【００３０】
また、本体部材（２）と遊技盤（Ｐ１）を固定する固定手段に、タッカーを用いてもよい。これにより、ネジを用いた場合には該ネジの緩みを心配する必要があるが、タッカーを用いることによりそのような心配がなくなり、大きな第１カバー部材を取り付けることが可能になる。
【００３１】
【発明の実施の形態】
本発明の実施の形態としての実施例を図面を利用して説明する。なお、各図中Ｈは縦方向（高さ方向、垂直方向としてもよい）を示しており、Ｈ１は上方向、Ｈ２は下方向を示している。また、各図中Ｌは厚さ方向を示しておりＬ１は奥方向、Ｌ２は手前方向を示している。また各図中Ｗは横方向（水平方向）を示しており、Ｗ１は右方向、Ｗ２は左方向を示している。
【００３２】
本実施例の裏カバーＡ１は、弾球遊技機Ｓ１（図１参照）における遊技盤Ｐ１の裏側に設けられるものであり、図４〜図７に示すように、ベース部材１と、第１カバー部材２０と、該第１カバー部材２０とは別体の角脚部（係合手段）３０、４０とを有している。そして、該裏カバーＡ１は、縦方向（Ｈ方向）の長さの略中間位置で分離されており、下部側が前記ベース部材１となり、上部側が前記第１カバー部材２０となっている。
【００３３】
なお、以下の説明においては、この裏カバーＡ１において、遊技盤Ｐ１と接触する側を裏側（又は奥側）とし、その反対側を表側（又は手前側）として説明することとする。つまり、図面において、Ｌ２側を手前側とし、Ｌ１側を奥側とするとともに、裏カバーＡ１の左右方向についても、手前側から見た方向とし、具体的には、Ｗ１方向を右方向、Ｗ２方向を左方向とする。よって、裏カバーＡ１を遊技盤Ｐ１に取り付けた状態では、裏カバーＡ１の裏面が遊技盤Ｐ１の裏面と接していることになる。
【００３４】
なお、上記とは逆に、仮に、遊技盤Ｐ１と接触する側を表側（手前側）とした場合には、Ｌ１側が手前側となり、Ｌ２側が奥側となることはいうまでもない。
【００３５】
まず、ベース部材１について説明する。ベース部材１は、ＡＢＳ樹脂によって一体に形成されたものであって、図５〜図７に示すように、本体部材２と、第２カバー部材１０とを有している。
【００３６】
この本体部材２は、背面部２ａと、底面部２ｂと、一対のベース部材側面部２ｃとを有している。この本体部材２は、正面視、つまり、Ｌ２側から視認すると、略コ字状を呈している。
【００３７】
この背面部２ａは、本体部材２の背面を構成するものであり、全体として概ねコ字状の板状を呈している。つまり、背面部２ａは、中央部２ａ−１と、右側部２ａ−２と、左側部２ａ−３とを有している。この背面部２ａを構成する部材は、概ねＷ方向及びＨ方向に沿って形成されている。この背面部２ａは、全体に概ね略コ字状に形成されていることにより、切欠き部１３が設けられている（図７参照）。なお、この例では、切欠き部１３としたが、開口部としてもよい。この背面部２ａの厚みはほぼ一定に形成されている。
【００３８】
また、この背面部２ａには、一対の擺動軸Ｋ２０（回動軸Ｋ２０又は回転軸Ｋ２０としてもよい）が設けられている。つまり、各擺動軸Ｋ２０は、背面部２ａにおける中央部２ａ−１の左右対称の位置に設けられていて、各擺動軸Ｋ２０は、左右方向（Ｗ方向）に延伸した軸部により構成されている。この擺動軸Ｋ２０は、第２カバー部材１０を擺動（回動としてもよい）させるためのものである。
【００３９】
また、底面部２ｂは、本体部材２の底面を構成するものであり、背面部２ａの下端から連設されていて、裏カバーＡ１の底部を覆うように所定の形状に形成されている。この底面部２ｂの厚みはほぼ一定に形成されている。この底面部２ｂを構成する部材は、概ねＷ方向及びＬ方向に沿って形成されていて、奥行方向（つまり、Ｌ１−Ｌ２方向）に概ね一定の幅を有した構成となっている。
【００４０】
また、ベース部材側面部２ｃは、本体部材２の両側面を構成するものであり、底面部２ｂの両側の端部及び背面部２ａの両側の端部から連設されていて、裏カバーＡ１の下部の両側を覆うように所定の形状に形成されている。このベース部材側面部２ｃの厚みはほぼ一定に形成されている。このベース部材側面部２ｃを構成する部材は、概ねＨ方向及びＬ方向に沿って形成されていて、奥行方向（つまり、Ｌ１−Ｌ２方向）に概ね一定の幅を有した構成となっている。また、このベース部材側面部２ｃの奥行方向の幅と前記底面部２ｂの奥行方向の幅は略同一となっている。
【００４１】
また、このベース部材側面部２ｃには、ロック爪（固定手段）Ｒ３０が設けられている（図４〜図７等参照）。このロック爪Ｒ３０は、ベース部材側面部２ｃに一体成形されていて、手前方向（Ｌ２方向）に突設して設けられている。該ロック爪Ｒ３０は、奥側方向に向けて徐々に突出する爪部を有しているとともに、可撓性を付加すべくこのロック爪Ｒ３０の上下にスリットＲ３０−１（図５参照）が形成されている。このロック爪Ｒ３０は、第２カバー部材１０を掛止して固定するためのものである。
【００４２】
また、左右の前記ベース部材側面部２ｃの上部側（つまり、Ｈ１方向側）の端部には、前記第１カバー部材２０を擺動可能とするための擺動ベース（回動ベースとしてもよい）Ｋ１４が手前方向（Ｌ２方向）に突設して一体成形されている（図４、図５、図７等参照）。該擺動ベースＫ１４は、側面視略二等辺三角形状の平板状に形成されており、頂部にはそれぞれ外側へ向けて突設するピンＫ１４ａが形成されている（図７参照）。
【００４３】
また、左右の前記ベース部材側面部２ｃの前記擺動ベースＫ１４の奥側（Ｌ１側）には、前記第１カバー部材２０をベース部材１に固定させるためのソケットＲ２４が一体成形されている（図４、図５、図７参照）。該ソケットＲ２４はプラグＲ２２を押し込むことにより掛止する構造となっていて、具体的には、上方向（Ｈ１方向）に向けて開口する狭窄したグリップ空間が形成されており、該グリップ空間に後述するプラグＲ２２を挟入して拘持可能としている。
【００４４】
また、このベース部材１においては、両側のベース部材側面部２ｃから底面部２ｂに渡って、フランジ部２−１が設けられている（図４、図７参照）。このフランジ部２−１は、両側のベース部材側面部２ｃと底面部２ｂの奥側（Ｌ１側）の端部に設けられていて、フランジ部２−１の少なくとも奥側の面、つまり、遊技盤Ｐ１に接する面は、遊技盤Ｐ１の裏面に接するように平面状に形成されている。つまり、このフランジ部２−１は、遊技盤Ｐ１に取り付ける場合に、座面として機能することになる。このフランジ部２−１には、遊技盤Ｐ１と締結する際に使用される複数のネジ孔が設けられている。
【００４５】
次に、前記第２カバー部材１０について説明する。前記第２カバー部材１０は、図５、図７等に示すように、平面視長方形状の平板状に形成されている。この第２カバー部材１０は、ＡＢＳ樹脂によって一体成形されている。また、該第２カバー部材１０の上下、左右の大きさは、前記ベース部材１の裏面側の切欠き部１３と略一致する形状になされている。つまり、該第２カバー部材１０は、前記裏カバーＡ１の裏面側の全体の開口部のうち、略下側半分を遮断することになる。
【００４６】
また、前記第２カバー部材１０においては、下側の辺部の前記ベース部材１に形成されている前記擺動軸Ｋ２０に係合可能な位置に、一対の軸承Ｋ２２が左右に振り分けて形成されている（図７参照）。該軸承Ｋ２２は、逆向きに向かい合う三日月状の２個の突片から形成されており、該突片によって前記擺動軸Ｋ２０を両側からクランプして、前記第２カバー部材１０を前記本体部材２に擺動自在に接続させている。従って、この軸承Ｋ２２を本体部材２の擺動軸Ｋ２０にクランプした状態では、前記第２カバー部材１０は、本体部材２における擺動軸Ｋ２０を中心に擺動可能となる。つまり、第２カバー部材１０は、本体部材２に対して擺動状に開閉可能となる。
【００４７】
また、前記第２カバー部材１０には、下側の左右端部に、前記基板ケースＱ１を擺動可能に支承可能とする一対の回転軸部Ｊ４（擺動軸部Ｊ４としてもよい）が、左右方向に延伸するように形成されている（図５〜図７参照）。つまり、この回転軸部Ｊ４には、左右方向に延伸する軸部が設けられている。
【００４８】
また、前記第２カバー部材１０の手前側（Ｌ２側）には、配線クランプ部Ｆが３箇所設定されており（図６、図７参照）、所定のハーネスの拘束を可能としている。
【００４９】
また、前記第２カバー部材１０の手前側（Ｌ２側）の右上端部には、ロック爪１２が裏方向に突設して一体成形されている。該ロック爪１２は、下方に徐々に突出する爪部を有しているとともに、可撓性を付加すべく細長形状になされている。
【００５０】
なお、前記本体部材２における背面部２ａと、前記第２カバー部材１０によって、前記ベース部材背面部が構成される。
【００５１】
次に、第１カバー部材２０について説明する。第１カバー部材２０は、ＡＢＳ樹脂によって一体に形成されたものであり、図５〜図７に示すように、上面部２０ａと、一対の第１カバー部材側面部２０ｂとを有している。
【００５２】
ここで、上面部２０ａは、第１カバー部材２０の上面を構成するものであり、裏カバーＡ１の上部を覆うように所定の形状に形成されている。この上面部２０ａにおける厚みはほぼ一定に形成されている。この上面部２０ａを構成する部材は、概ねＷ方向及びＬ方向に沿って形成されていて、奥行方向（つまり、Ｌ方向）に概ね一定の幅を有した構成となっている。
【００５３】
また、第１カバー部材側面部２０ｂは、上面部２０ａの両側から下方に向けて連設されていて、裏カバーＡ１の上部の両側を覆うように所定の形状に形成されている。この第１カバー部材側面部２０ｂにおける厚みはほぼ一定に形成されている。この第１カバー部材側面部２０ｂを構成する部材は、概ねＨ方向及びＬ方向に沿って形成されていて、奥行方向（つまり、Ｌ１−Ｌ２方向）に概ね一定の幅を有した構成となっている。
【００５４】
また、前記上面部２０ａ及び第１カバー部材側面部２０ｂの手前側（Ｌ２側）の端部から背面部２０ｃが形成されている。この背面部２０ｃは、図６、図７に示すように、上面部２０ａに沿って形成された中央部２０ｃ−１と、手前側から見て左側の第１カバー部材側面部２０ｂに沿って形成された左側部２０ｃ−２と、手前側から見て右側の第１カバー部材側面部２０ｂに沿って形成された右側部２０ｃ−３とからなる。
【００５５】
なお、この第１カバー部材２０は、正面視、つまり、Ｌ２側から視認すると、略コ字状を呈している。
【００５６】
また、前記背面部２０ｃの中央部２０ｃ−１の中央付近には、一対の回転軸部Ｊ１（擺動軸部Ｊ１としてもよい）が、第１カバー部材２０における左右の対称位置に設けられている。各回転軸部Ｊ１は、手前方向（Ｌ２方向）に一対の突片を突出させ、この突片間に軸部を配設することにより形成されている。その際、該軸部は左右方向に延伸して形成されている。この回転軸部Ｊ１は、基板ケースＱ２を擺動可能に支承するためのものである。なお、一対の回転軸部Ｊ１における右側の回転軸部Ｊ１は、図６、図７においては、ロック爪２６（後述）に隠れて図示されていないが、該右側の回転軸部Ｊ１は、手前側から視認してロック爪２６の左隣に隣接して設けられている。
【００５７】
また、同様に、背面部２０ｃの左側部２０ｃ−２には、一対の回転軸部Ｊ２（擺動軸部Ｊ２としてもよい）が設けられている。一対の回転軸部Ｊ２は、左側部２０ｃ−２の上下方向に配設されており、各回転軸部Ｊ２は、左側部２０ｃ−２の一部を開口させ、その開口部分に軸部を配設することにより形成されている。その際、該軸部は上下方向に延伸して形成されている。この回転軸部Ｊ２は、基板ケースＱ３を擺動可能に枢支するためのものである。
【００５８】
また、同様に、背面部２０ｃの右側部２０ｃ−３には、一対の回転軸部Ｊ３（擺動軸部Ｊ３としてもよい）が設けられている。一対の回転軸部Ｊ３は、右側部２０ｃ−３の上下方向に配設されており、各回転軸部Ｊ３は、右側部２０ｃ−３の一部を開口させ、その開口部分に軸部を配設することにより形成されている。その際、該軸部は上下方向に延伸して形成されている。この回転軸部Ｊ３は、基板ケースＱ４を擺動可能に枢支するためのものである。
【００５９】
また、各第１カバー部材側面部２０ｂの外側の上端位置には、サポート部Ｒ１６が形成されている。このサポート部Ｒ１６は、ネック部３４、４４を挿通及びガイドするためのレール状部材が上下の位置に設けられている。このサポート部Ｒ１６は、後述する角脚部３０、４０のネック部３４、４４を挿通及びガイドして角脚部３０、４０のロック爪Ｒ１２を後述する爪受けＲ１４に掛止しやすくするためのものである。つまり、サポート部Ｒ１６は、第１カバー部材２０と角脚部３０、４０との接続時に、レール状部材によってネック部３４、４４を拘持して結合性を助勢している。また、このサポート部Ｒ１６は、角脚部３０、４０の必要以上の入り込みを防止している。
【００６０】
なお、上下位置のレール状部材の間隔は、手前側（Ｌ２側）に行くに従って狭くなるように形成されている。つまり、上側のレール状部材は水平状に設けられているが、下側のレール状部材は下向きに傾斜して形成されている。これは、サポート部Ｒ１６の開口面を大きくして、前記第１カバー部材２０と角脚部３０、４０との接続時に、左右の前記ネック部３４、４４を容易に前記サポート部Ｒ１６に導通するためである。
【００６１】
また、一対の前記サポート部Ｒ１６の手前側（Ｌ２側）には、爪受けＲ１４が設けられている。この爪受けＲ１４は、角脚部３０、４０のロック爪Ｒ１２が掛止するためのもので、奥側（Ｌ１側）から手前側（Ｌ２側）に向けて徐々に高くなり垂直面に至る形状を呈している。
【００６２】
また、左右の前記第１カバー部材側面部２０ｂの下端には、擺動アーム（回動アームとしてもよい）Ｋ１２が設けられている。この擺動アームＫ１２は、略平板状を呈し、第１カバー部材２０の手前側（Ｌ２側）に斜め下方に突設されている。
【００６３】
また、各擺動アームＫ１２の先端には、軸受け部Ｋ１２ａが設けられている。この軸受け部Ｋ１２ａは、ベース部材１におけるピンＫ１４ａを嵌合可能な嵌合孔を有していて、これにより、第１カバー部材２０は、ピンＫ１４ａを中心に擺動可能となっている。
【００６４】
さらに、前記擺動アームＫ１２の先端部には、ストッパＫ１２ｂが設けられている（図７参照）。このストッパＫ１２ｂは、前記擺動ベースＫ１４の先端部の外側から内側にまで回り込むように断面略コ字状を呈していて、ストッパＫ１２ｂは、図４に示すように、前記第１カバー部材２０を開いた時に、その状態を保持するために形成されている。つまり、前記第１カバー部材２０を手前方向に約９０度程度開くと、前記ストッパＫ１２ｂが前記擺動ベースＫ１４の縁部に当接し、それ以上は開かなくなって前記第１カバー部材２０が開きすぎるのを防止することができるとともに、その状態を保持することが可能になる。また、前記ベース部材１と前記第１カバー部材２０とを接続した時にガタつきなどによって前記ピンＫ１４ａが軸受け部Ｋ１２ａから外れてしまうのを防止する効果も有している。
【００６５】
また、左右の前記第１カバー部材側面部２０ｂの下端の奥側（Ｌ１側）には、プラグＲ２２が設けられている。このプラグＲ２２は、下向きに突設された突片であり、狭窄した突部を有した形状を呈している。このプラグＲ２２は、ベース部材１におけるソケットＲ２４のグリップ空間に挟入することによって、該プラグＲ２２と前記ソケットＲ２４とが結合される。そのため、前記ベース部材１と前記第１カバー部材２０とを確実に結合することが可能になる。また、その結合は、左右の前記プラグＲ２２を前記ソケットＲ２４から引き抜くことによって解除することができ、前記第１カバー部材２０を前記ベース部材１から容易に脱離自在としている。
【００６６】
また、前記第１カバー部材２０の背面部２０ｃには、左右方向に分けてロック爪２４、２６が裏方向に突設して一体成形されている。ここで、ロック爪２４は、背面部２０ｃから手前側に突出していて、傾斜面を有する爪部を有している。この傾斜面は斜め下方を向いている。また、ロック爪２６は、同じく背面部２０ｃから手前側に突出しており、傾斜面を有する爪部を有しているが、この傾斜面は斜め側方を向いている。
【００６７】
次に、前記角脚部３０、４０について説明する。前記角脚部３０、４０は、図７に示すように、それぞれ前記第１カバー部材２０の上部側の両角部の枠形状に沿った折曲した形状で、前記第１カバー部材２０と前記遊技盤Ｐ１との隙間部分と略同一なＬ方向の幅となるように、ＡＢＳ樹脂によって形成されている。この角脚部３０と角脚部４０とは、略左右対称の形状となっていて、角脚部３０と角脚部４０とは、それぞれ一体成形されている。
【００６８】
また、前記角脚部３０、４０の奥側（Ｌ１側）の端部には、遊技盤Ｐ１に取り付る場合に座面となるフランジ部３２、４２がそれぞれ形成されている。このフランジ部３２、４２は、平板形状を一部折曲した形状を呈していて、少なくとも遊技盤Ｐ１に当接する面は平面状になっている。また、該フランジ部３２、４２には遊技盤Ｐ１と締結する時に使用される複数のネジ孔が形成されている。
【００６９】
また、このフランジ部３２、４２には、本体部３３、４３が連設されている。この本体部３３、４３は、帯状の平板形状を２カ所で折曲したような形状を呈していて、この本体部３３、４３は、フランジ部３２、４２に対して、Ｌ１−Ｌ２方向に立設した状態となっている。
【００７０】
また、前記角脚部３０、４０の下側（Ｈ２方向）の端部には、手前方向（Ｌ２方向）に向けて突出して形成される前記ネック部３４、４４が一体的に形成されている。つまり、本体部３３、４３の下端からは手前方向にネック部３４、４４が突設されている。また、このネック部３４、４４の下面部には、上述した前記第１カバー部材２０のサポート部Ｒ１６の下側レールが下向きに傾斜して形成されているのに合わせて、下側に略三角形状に突出するテーパ面Ｒ１８が形成されている。
【００７１】
さらに、前記ネック部３４、４４の手前側（Ｌ２側）の端部には、前記ロック機構Ｒ１０の一部である裏面側に向けて突出するロック爪Ｒ１２が形成されている。該ロック爪Ｒ１２は、前記第１カバー部材２０の爪受けＲ１４の垂直面に掛止するための部材であり、このロック爪Ｒ１２は、奥側に行くに従い徐々に突出する形状を呈している。また該ロックＲ１２は、適度な可撓性が得られるように細長な形状になされている。
【００７２】
また、前記角脚部３０には、図５に示すように、内側端部から突出する配線クランプ部Ｆが形成されている。このクランプ部Ｆは、ハーネスをクランプさせるためのものである。
【００７３】
なお、前記裏カバーＡ１には、図５〜図７に示すように、機能要素としてロック機構Ｒ１０、Ｒ２０と、擺動機構（回動機構としてもよい）Ｋ１０とが設けられているといえる。
【００７４】
このうち、ロック機構Ｒ１０は、第１カバー部材２０と角脚部３０、４０とのロックに関係するロック爪Ｒ１２、爪受けＲ１４、サポート部Ｒ１６、テーパ面Ｒ１８から構成されている。なお、上記のように、ロック爪Ｒ１２は、角脚部３０、４０に設けられていて、また、爪受けＲ１４と、サポート部Ｒ１６と、テーパ面Ｒ１８とは、第１カバー部材２０に設けられている。
【００７５】
また、ロック機構Ｒ２０は、ベース部材１と第１カバー部材２０とのロックに関係するプラグＲ２２、ソケットＲ２４から構成されている。なお、上記のように、プラグＲ２２は、第１カバー部材２０に設けられていて、ソケットＲ２４は、ベース部材１に設けられている。
【００７６】
また、擺動機構Ｋ１０は、ベース部材１と第１カバー部材２０との擺動に関係する擺動アームＫ１２、軸受け部Ｋ１２ａ、ストッパＫ１２ｂ、擺動ベースＫ１４、ピン１４ａから構成されている。なお、上記のように、擺動アームＫ１２と、軸受け部Ｋ１２ａと、ストッパＫ１２ｂとは、第１カバー部材２０に設けられていて、擺動ベースＫ１４と、ピン１４ａとは、ベース部材１に設けられている。
【００７７】
上記構成の裏カバーＡ１は、前記弾球遊技機Ｓ１の略中央部に配設されている。また、図２に示されるように、前記裏カバーＡ１は遊技盤Ｐ１の裏面側に固着されており、さらに前記裏カバーＡ１の背面側には、主基板ケースＱ１と、外部出力端子基板ケースＱ２と、サウンド制御基板ケースＱ３と、ランプ制御基板ケースＱ４とが装着されている。
【００７８】
前記主基板ケースＱ１は、透明なアクリル樹脂等によって外形略直方体状に形成されており、内部に遊技者に有利な遊技状態を発生させるか否かを抽選する抽選手段を設けた主基板を収納している。前記外部出力端子基板ケースＱ２は、透明なアクリル樹脂等によって外形略直方体状に形成されており、内部に複数の出力端子をコネクタ等によって接続可能になされた外部出力端子基板を収納している。
【００７９】
また、前記サウンド制御基板ケースＱ３は、透明なアクリル樹脂等によって外形略直方体状に形成されており、内部に演出音の発生を制御するサウンド制御手段を設けたサウンド制御基板を収納している。前記ランプ制御基板ケースＱ４は、透明なアクリル樹脂等によって外形略直方体状に形成されており、内部に演出光の点灯動作を制御するランプ制御手段を設けたランプ制御基板を収納している。
【００８０】
また、前記主基板ケースＱ１、前記外部出力端子基板ケースＱ２、前記サウンド制御基板ケースＱ３、前記ランプ制御基板ケースＱ４は、それぞれ裏カバーＡ１に外部側に後述する方法によって軸支されており、図３に示すように、各々手前側を引き出すことによって擺動状に開閉するように形成されている。
【００８１】
そして、前記ベース部材１と前記第１カバー部材２０とが接続されることにより、前記遊技盤Ｐ１に装着された遊技部品Ｇ１〜Ｇ４の外周部を概ね連続して囲んで外部と区分することが可能なカバーとなる。そのため、遊技部品Ｇ１〜Ｇ４と遊技機本体側の部品との干渉を防止したり、埃や遊技球等が入り込まないようにすることが可能になる。
【００８２】
ここで、前記遊技部品Ｇ１〜Ｇ４について説明すると、Ｇ１は図柄制御基板、Ｇ２はスタートチャッカーユニット、Ｇ３はアタッカーユニット、Ｇ４はサイドランプである。
【００８３】
次に、上記構成の裏カバーＡ１の使用状態及び作用について説明する。まず、上記構成の裏カバーＡ１の組み付けについて説明する。なお、図７に示すように、前記遊技盤Ｐ１には、前記図柄制御基板Ｇ１、前記スタートチャッカーユニットＧ２、前記アタッカーユニットＧ３、前記サイドランプＧ４等の遊技部品が、予め組み込まれた状態であるとする。そして、前記遊技盤Ｐ１の裏面側にベース部材１と、角脚部３０、４０とを所定の部位に配設し、ベース部材１に設けられたネジ孔、つまり、本体部材２のフランジ部２−１に設けられたネジ孔と、角脚部３０、４０に設けられたネジ孔、つまり、フランジ部３２、４２に設けられたネジ孔に対応する木ねじを締結することによって、前記遊技盤Ｐ１とベース部材１及び角脚部３０、４０とを固着する。
【００８４】
続いて、上記ロック機構Ｒ１０及びロック機構Ｒ２０を用いて前記第１カバー部材２０と前記ベース部材１とを結合する。前記ベース部材１の擺動ベースＫ１４から突設する左右のピンＫ１４ａを、前記第１カバー部材２０の擺動アームＫ１２に形成された軸受け部Ｋ１２ａに挿通して図５に示す状態の擺動機構Ｋ１０とし、前記ベース部材１と第１カバー部材２０とを接続する。そのため、前記第１カバー部材２０は前記擺動機構Ｋ１０によって前記ベース部材１に対して擺動自在となっている。この場合に、前記第１カバー部材２０は前記ベース部材１に対して擺動状に開閉することになる。
【００８５】
そして、上記第１カバー部材２０をベース部材１に対して閉状態とするには、第１カバー部材２０を擺動させて、ロック機構Ｒ１０とロック機構Ｒ２０とにより結合させる。
【００８６】
まず、前記ロック機構Ｒ１０側から説明すると、前記第１カバー部材２０を奥側方向（Ｌ１方向）に擺動させて、左右のサポート部Ｒ１６に前記角脚部３０、４０のネック部３４、４４を挿通していく。この場合に、上述したようにサポート部Ｒ１６の下側レールは下向きに傾斜して開口面が大きくなっているため、前記ネック部３４、４４を容易に前記サポート部Ｒ１６に導通することが可能になる。
【００８７】
そして、前記角脚部３０、４０のロック爪Ｒ１２が、徐々に前記第２カバー部材１０の爪受けＲ１４を摺接して押し広げられ、垂直面の部分に至るとロック爪Ｒ１２がスプリングバックによって該垂直面に嵌まり込み、前記ロック爪Ｒ１２と爪受けＲ１４がロックする。そのため、前記ロック機構Ｒ１０によって前記角脚部３０、４０と前記第１カバー部材２０とを確実に結合することが可能になる。また、その結合は、左右の前記ロック爪Ｒ１２を外側に撓ませて、前記ロック爪Ｒ１２を爪受けＲ１４から引き外すことによって解除することができ、前記角脚部３０、４０を前記ベース部材１から容易に脱離自在としている。
【００８８】
次に、前記ロック機構Ｒ２０側を説明すると、図５に示すように、前記第１カバー部材２０を奥側方向（Ｌ１方向）に擺動させて、前記第１カバー部材２０の左右の前記プラグＲ２２の突部をそれぞれ前記ソケットＲ２４のグリップ空間に挟入して、該プラグＲ２２と前記ソケットＲ２４と一体化して接合する。そのため、前記ロック機構Ｒ２０によって前記ベース部材１と前記第１カバー部材２０を確実に結合することが可能になる。また、その結合は、左右の前記プラグＲ２２を前記ソケットＲ２４から引き抜くことによって解除することができ、前記第１カバー部材２０を前記ベース部材１から容易に脱離自在としている。
【００８９】
以上のようにして、前記第１カバー部材２０を図６に示すような閉状態とすると、前記ロック機構Ｒ１０、Ｒ２０によって、前記第１カバー部材２０は前記角脚部３０、４０及び前記ベース部材１と確実に結合され、その状態が保持される。
【００９０】
続いて、前記第２カバー部材１０を本体部材たる前記ベース部材１に装着する。まず、前記第２カバー部材１０の左右の軸承Ｋ２２を、前記ベース部材１の擺動軸Ｋ２０に嵌め込んで係合する。そのため、前記軸承Ｋ２２の逆向きに向かい合う三日月状の２個の突片によって前記擺動軸Ｋ２０を両側からクランプし、前記第２カバー部材１０は図５に示すように、前記ベース部材１に対して擺動状に開閉可能となる。
【００９１】
そして、前記第２カバー部材１０と前記ベース部材１とを結合する。具体的には、前記第２カバー部材１０を奥側方向（Ｌ１方向）に擺動させて、第２カバー部材１０の縁部を前記ベース部材１の左右のロック爪Ｒ３０に当接させる。そのため、徐々に前記ロック爪Ｒ３０が外側に押し広げられ、前記第２カバー部材１０を乗り越えるとスプリングバックによって前記第２カバー部材１０の裏側に嵌まり込む。
【００９２】
そのため、前記第２カバー部材１０と前記ベース部材１とを確実に結合することが可能になる。また、その結合は、左右の前記ロック爪Ｒ３０を外側に撓ませて、前記ロック爪Ｒ３０を前記第２カバー部材１０の裏面から引き外すことによって解除することができ、前記第２カバー部材１０を前記ベース部材１から容易に脱離自在としている。
【００９３】
以上のようにして、前記第２カバー部材１０を図６に示す閉状態とすると、前記第２カバー部材１０は前記ベース部材１と確実に結合されて、前記裏カバーＡ１の遊技盤Ｐ１への装着が完了する。
【００９４】
次に、そのように装着された前記裏カバーＡ１に各基板ケースを装着する。具体的には、図２等に示すように、第１カバー部材１の手前側（Ｌ２側）に基板ケースＱ２と、基板ケースＱ３と、基板ケースＱ４とを取り付ける。ここで、基板ケースＱ２は外部出力端子基板ケースであり、基板ケースＱ３はサウンド制御基板ケースであり、基板ケースＱ４はランプ制御基板ケースＱ４である。また、ベース部材１における第２カバー部材１０に、基板ケースＱ１を取り付ける。この基板ケースＱ１は、主基板ケースである。具体的には、前記裏カバーＡ１の背面側の回転軸部Ｊ１に基板ケースＱ２の図示略の軸承部をセットし、回転軸部Ｊ２に基板ケースＱ３の図示略の軸承部をセットし、回転軸部Ｊ３に基板ケースＱ４の図示略の軸承部をセットし、回転軸部Ｊ４に基板ケースＱ１の図示略の軸承部をセットする。
【００９５】
そのため、図３に示すように、各々の基板ケースが前記裏カバーＡ１に擺動自在に軸支されることになり、各基板ケースは前記裏カバーＡ１に対して擺動状に開閉することになる。なお、基板ケースと電子部品類を接続するハーネス類は、前記複数の配線クランプ部Ｆによって適度な弛みを持たせた状態で拘持すれば、各基板ケースの擺動時にハーネス類が基板ケースと他部材との隙間等に噛み込んだでしまったりするのを抑制することができる。
【００９６】
そして、各基板ケースを擺動させて、図２に示すように全て閉状態とし、遊技機全体のアッセンブリが終了する。この時に、各基板ケースの前記裏カバーＡ１への固定は、前記裏カバーＡ１側の前記ロック爪２４、２６、１２と、各基板ケース側に形成されている図示略のロック爪双方によって行われる。
【００９７】
なお、裏カバーＡ１の上部側に被覆された遊技部品についてメンテナンスを行う場合には、第１カバー部材２０を手前側（Ｌ２側）に擺動させて第１カバー部材２０を開状態にすればよい。その場合には、当然ロック機構Ｒ１０とロック機構Ｒ２０との間のロック状態は解除した上で、第１カバー部材２０を手前側に擺動させることになる。
【００９８】
また、裏カバーＡ１の上部側に被覆された遊技部品についてメンテナンスを行う場合には、第２カバー部材１０を擺動させて第２カバー部材１０を開状態にすればよい。その場合には、第２カバー部材１０と、本体部材２のロック爪Ｒ３０との間のロック状態は解除した上で、第２カバー部材１０を手前側に擺動させることになる。
【００９９】
以上述べたように、本実施例による裏カバーＡ１によれば、前記裏カバーＡ１が、遊技盤Ｐ１に着脱可能なベース部材１と、前記ベース部材１に取り付けられる第１カバー部材２０とを分離して別個に備えているため、第１カバー部材２０を前記ベース部材１に対して擺動させて裏カバーＡ１の上部を開状態とすることができ、従って、前記遊技盤から裏カバー全体を取り外すことなく、裏カバーの内部側にある電子部品の点検や交換、ハーネスの脱着などのメンテナンスを容易に行うことが可能となる。
【０１００】
特に、前記ベース部材１と前記第１カバー部材２０とが、裏カバーＡ１の高さ方向の長さの略中間位置で分離されているため、前記第１カバー部材２０を開いた場合におけるメンテナンススペースを十分確保できるとともに、前記ベース部材１の裏面側へ基板ケースなどを搭載するスペースも十分確保することが可能となる。
【０１０１】
また、特に、前記第１カバー部材２０が前記ベース部材１に対して擺動状に開閉するとともに、前記第２カバー部材１０が前記本体部材２に対して擺動状に開閉するため、単純な動作で、第１カバー部材２０や第２カバー部材１０を開状態とすることができ、よって、容易に、第１カバー部材２０や第２カバー部材１０によりカバーされている部分を露出させることが可能となる。よって、メンテナンス作業の簡略化を図ることが可能になる。
【０１０２】
また、前記第１カバー部材２０の前記ベース部材１からの脱離は、遊技盤Ｐ１に設けられた前記角脚部３０、４０との係合を解除すればよく、また接続時においても遊技盤Ｐ１へ締結等する必要がなく前記角脚部３０、４０へ係合すればよい。従って、前記第１カバー部材２０の脱離及び係合作業のワンタッチ化を図ることが可能になる。
【０１０３】
また、前記ベース部材１と前記第１カバー部材２０とにより前記遊技盤Ｐ１に装着された遊技部品を概ね覆うことができるため、高いメンテナンス性を保持しつつ、遊技盤Ｐ１に装着された遊技部品と遊技機本体側の部品との干渉を防止したり、埃や遊技球等が入り込まないようにすることが可能になり、電子部品等のメンテナンス性と保護性、シールド性の両立を図ることが可能になる。
【０１０４】
また、前記ベース部材１、前記第１カバー部材２０、或いは前記第２カバー部材１０に、基板ケースＱ１〜Ｑ４等を積重して装着可能としており、また配線の中継点としてコネクタ端子を配設する等、裏カバーＡ１を装着部品類の装着ベースとして機能させるのことができる。そのため、弾球遊技機Ｓ１全体のスペース効率の向上、設計自由度の拡大を図ることが可能になる。
【０１０５】
また、前記ベース部材１と前記第１カバー部材２０とを接続してロックするロック機構Ｒ２０を有しているため、第１カバー部材２０を閉じた時には前記ベース部材１と前記第１カバー部材２０とを強固に一体化することができ、よって、裏カバーＡ１全体の剛性を高めることができる。
【０１０６】
また、前記ベース部材１と第１カバー部材２０とが設けられ、また、特に、前記ベース部材１と前記第１カバー部材２０とによって囲まれた内側空間の前記切欠き部１３を遮断する前記第２カバー部材１０を有しているため、前記ベース部材１と前記第１カバー部材２０とによって囲まれた内側空間の部品類や配線などを覆うため、遊技機本体側の部品との干渉を防止したり、埃や遊技球等が入り込まないようにすることが可能となる。また前記第２カバー部材１０の表面に、電子基板ケース等の装着部品を装着したり、配線の中継点としてコネクタ端子を配設する等、装着部品の装着ベースとしての機能も得ることができる。
【０１０７】
また、前記第２カバー部材１０は、本体部材２に対して擺動状に開閉可能となっている。そのため、前記第２カバー部材１０を擺動させて開くことによって、前記ベース部材１の内部に配設された電子部品や機能部品の交換も容易となり、メンテナンス性を向上させることができる。
【０１０８】
また、電子基板を内包可能な前記基板ケースＱ１、Ｑ２、Ｑ３、Ｑ４を擺動可能に枢支する回転軸部Ｊ１、Ｊ２、Ｊ３、Ｊ４を有しているため、基板ケースＱ１、Ｑ２、Ｑ３、Ｑ４を擺動状に開閉することができる。そのため、裏カバーＡ１に複数の電子基板を多重に装着することができ、スペース効率の向上を図ることが可能になるとともに、基板ケースＱ１、Ｑ２、Ｑ３、Ｑ４の内部側に配設された電子部品や機能部品の交換も容易となり、メンテナンス性を向上させることができる。
【０１０９】
なお、本発明は、本実施例の構成のみに限定されるものではなく、多様な態様が可能である。
【０１１０】
例えば、前記裏カバーＡ１、或いは角脚部３０、４０は、本実施例ではＡＢＳ樹脂による透明性を有した樹脂によって構成しているが、それのみに限定されるものではなく、スリット、小さい孔などを形成して内部を視認可能としてもよい。このように内部を視認可能とすることによって、内部の状態を容易に視認することができるため、部品の状態や配線接続のチェック等が容易になる。
【０１１１】
また、前記第１カバー部材２０を、前記ベース部材１に対してスライドして開閉する裏カバーＡ２としてもよい。具体的には、図８に示すように、前記裏カバーＡ２において、前記ベース部材１にリニアベアリングなどを用いたスライドレール１００を配設し、該スライドレール１００によって前記第１カバー部材２０を上下にスライド自在に係止する。
【０１１２】
このように構成しても、前記裏カバーＡ２では前記実施例と同様に、遊技盤Ｐ１に着脱可能なベース部材１と、前記ベース部材１に取付けられる第１カバー部材２０とを分離して別個に備え、前記第１カバー部材２０を前記ベース部材１から前記スライドレール１００によって脱離させることが可能になるため、前記遊技盤Ｐ１から裏カバーＡ２全体を取り外すことなく、裏カバーＡ２の内部側にある電子部品の点検や交換、ハーネスの脱着などのメンテナンスを容易に行うことが可能となる。なお、この場合に、前記第１カバー部材２０と前記ベース部材１との着脱は、プラグ１１０と狭窄したソケット１２０を図８に示すように配設し、プラグ１１０をソケット１２０に挿通することによって行うことができる。
【０１１３】
また、前記ベース部材１を、基台部２１０と本体部２２０とに分離して形成し、該本体部２２０が基台部２１０に対して、擺動状又はスライドして開閉する裏カバーＡ３としてもよい。具体的には、図９に示すように、前記裏カバーＡ３において、分離して形成した基台部２１０と本体部２２０とを軸受け２３０によって接続し、前記本体部２２０を前記基台部２１０に対して擺動自在とする。そして、前記基台部２１０側のみを遊技盤Ｐ１に固着する。
【０１１４】
このように構成すると、前記裏カバーＡ３によれば、前記本体部２２０を前記基台部２１０に対して裏方向に擺動させて開くと、前記裏カバーＡ３の内部が大きく開口するため、前記遊技盤Ｐ１から裏カバーＡ３全体を取り外すことなく、裏カバーＡ３の内部側にある電子部品の点検や交換、ハーネスの脱着などのメンテナンスを、前記裏カバーＡ１、Ａ２に比較して、更に容易に行うことが可能となる。
【０１１５】
なお、この場合に、前記第１カバー部材２０と前記ベース部材１との着脱は、図９に示すように、前記基台部２１０にロック爪２１０ａを形成し、また前記本体部２２０側に爪受け２２０ａを形成して、該ロック爪２１０ａを爪受け２２０ａに係合させることによって可能となる。
【０１１６】
また、前記第１カバー部材２０と、前記角脚部（係合手段）３０、４０とは、ネジ等の締結手段により締結するようにしてもよい。
【０１１７】
また、本体部材２と第２カバー部材１０とを固定する固定手段が、ネジ等の締結手段であってもよい。
【０１１８】
また、前記第２カバー部材１０が、前記本体部材２に対して、スライドして開閉するようにしてもよい。
【０１１９】
また、前記裏カバーＡ１及び／又は角脚部（係合手段）３０、４０は、電子部品へのノイズの侵入をカットすべく導電性を有した樹脂によって構成してもよい。
【０１２０】
また、前記第２カバー部材１０に代えて、基板ケース自体をカバー部材としてもよい。つまり、第２カバー部材１０自体が、基板ケースであってもよい。この場合には、基板ケースが直接本体部材２に着脱される構造となる。
【０１２１】
【発明の効果】
本発明に基づく弾球遊技機によれば、裏カバーの内部側にある電子部品の点検や交換、ハーネスの脱着などのメンテナンスを容易に行うことが可能な弾球遊技機を提供することができる。
【図面の簡単な説明】
【図１】本発明の実施例に基づく弾球遊技機の全体構造を示す背面図である。
【図２】遊技盤に裏カバーを装着した状態を示す斜視図である。
【図３】裏カバーに装着した各基板ケースを擺動状に開いた状態を示す斜視図である。
【図４】第１カバー部材をベース部材に対して擺動状に開いた状態を示す斜視図である。
【図５】第１カバー部材及び第２カバー部材の開閉動作示す斜視図である。
【図６】裏カバーの全体構造を示す斜視図である。
【図７】裏カバーの遊技盤へのアッセンブリ状態を示す分解斜視図である。
【図８】本発明の他の態様を示す説明図である。
【図９】本発明の他の態様を示す説明図である。
【符号の説明】
１  ベース部材
２  本体部材
２ａ  背面部
２ｂ  底面部
２ｃ  ベース部材側面部
１０  第２カバー部材
１２、２４、２６、Ｒ１２、Ｒ３０  ロック爪
２０  第１カバー部材
２０ａ  上面部
２０ｂ  第１カバー部材側面部
２０ｃ  背面部
３０、４０  角脚部
Ａ１〜Ａ３  裏カバー
Ｇ１〜Ｇ４  遊技部品
Ｐ１  遊技盤
Ｒ１０、Ｒ２０  ロック機構
Ｓ１  弾球遊技機
【図１】
0004168100.tif 000002
【図２】
0004168100.tif 000003
【図３】
0004168100.tif 000004
【図４】
0004168100.tif 000005
【図５】
0004168100.tif 000006
【図６】
0004168100.tif 000007
【図７】
0004168100.tif 000008
【図８】
0004168100.tif 000009
【図９】
0004168100.tif 000010